(57)【要約】      （修正有）【課題】帆立貝を係止した係止ピンをしごき部材のしごき部を通してしごき、帆立貝を回収する際、しごき部でしごかれた係止ピンが、帆立貝の係止された部分で破断し、係止ピンのロープ抜け止め部を含む軸部の大部分がロープに残滓として留まってしまうのを防止する。【解決手段】軸部２の両端部に帆立貝を係止する帆立貝係止部３，４を備え、中間部周に軸方向に離間し、軸方向内方に向かい合うように対称的に突出した２本の係止杆からなるロープ抜け止め部６，７を突設した可撓性を有する合成樹脂で形成した養殖帆立貝の係止ピンで、ロープ抜け止め部を構成する一方の係止杆を太く形成し、他方の係止杆を細く形成した養殖帆立貝の係止ピン１。【選択図】図１
0003114449.tif 000002
【実用新案登録請求の範囲】
【請求項１】
軸部の両端部に帆立貝を係止する帆立貝係止部を備え、中間部周に軸方向に離間し、軸方向内方に向かい合うように対称的に突出した２本の係止杆からなるロープ抜け止め部を突設した可撓性を有する合成樹脂で形成した養殖帆立貝の係止ピンにおいて、
前記ロープ抜け止め部を構成する一方の係止杆を太く形成し、他方の係止杆を細く形成した、
ことを特徴とする養殖帆立貝の係止ピン。
【請求項２】
前記ロープ抜け止め部を構成する係止杆は、軸部周の同じ側に対称的に向かい合うようにハ字形に突設したことを特徴とする請求項１記載の養殖帆立貝の係止ピン。
【請求項３】
前記ロープ抜け止め部を構成する係止杆は、一方の係止杆を軸部周の一側に突出し、他方の係止杆を軸部周の反対側に突出するように突設したことを特徴とする請求項１記載の養殖帆立貝の係止ピン。
【請求項４】
前記係止ピンは多数本軸部を平行に配置し、軸部周に突設したロープ抜け止め部の先端を隣接する係止ピンの軸部周に容易に撓む薄片や小径部等で連結し、帯状としたことを特徴とする請求項１または請求項２に記載の養殖帆立貝の係止ピン。
【請求項５】
前記係止ピンは多数本軸部を平行に配置し、軸部間を容易に撓む紐状部材や薄片等で連結し、帯状としたことを特徴とする請求項１〜請求項３何れか１項に記載の養殖帆立貝の係止ピン。
【考案の詳細な説明】
【技術分野】
【０００１】
本考案は、帆立貝の養殖に用いる係止ピンの改良に関するものである。
【背景技術】
【０００２】
帆立貝の養殖に際し、係止ピンをロープに所定ピッチをあけて通し、係止ピンの両端部に設けた係止部に、帆立貝の稚貝の耳片の穿孔部を通して係止ピン両端部に帆立貝を係止耳吊りし、海中にロープを垂らし、帆立貝を養殖する係止ピンは従来から実用に供されている。
【特許文献１】特開平１０−１６５０３６号公報（同公報の図４３、図４４、図４８、図４９）
【０００３】
特許文献１の係止ピンは可撓性を有する樹脂で形成され、尖鋭な軸部の先端部に切り起こした円弧の抜け止め片を軸部の軸方向中央部方向に延出し、且つ軸部の外方に湾曲、突出させ、∠状の銛状の抜け止め片（帆立貝係止部）は、軸部の両端部に形成されている。
【０００４】
係止ピンの軸部周には、同公報の図４３、或いは図４８のよう軸方向に離間し、対称的に向かい合うように係止杆を突設してロープ抜け止め部を形成し、ロープ抜け止め部はハ字形、或いは一方の係止杆を軸部周の一側に、他方を反対側に突出するように突設している。
これらの係止ピンは、同公報の図４４、図４９に示した通り、係止ピンをロープに通し、両端部に帆立貝を係止し、海中に垂らして帆立貝養殖を行い、係止ピンのロープ抜け止め部間にロープが臨み、係止ピンがロープから抜け出さないようにロープに保持するものである。
【０００５】
図１０は、ロープに帆立貝を係止し、海中にロープを垂らし、養殖を行っている状態を示し、ロープ１００に係止ピン１０１が所定ピッチで横断するように保持され、係止ピン１０１の尖鋭な両端部に設けた抜け止め片１０２，１０２を帆立貝１０４，１０４の耳片１０４ａ，１０４ａに穿孔した係止孔１０４ｂ，１０４ｂに通し、抜け止め片１０２，１０２で帆立貝１０３，１０３を係止する。
係止ピン１０１の軸部１０１ａの中間部には、ハ字形のロープ抜け止め部１０３，１０３が突設されており、この間にロープ１００が臨み、係止ピン１００のロープからの抜け止めを行っている。
【０００６】
帆立貝の生育後における帆立貝の回収は、海中からロープを巻き取り機で巻き上げ、ロープをしごき部材の孔等からなるしごき部を通し、係止ピンから帆立貝を取り外している。
ところで、帆立貝を係止した係止ピンをしごき部材のしごき部を通してしごき、係止ピンに係止した帆立貝を回収のため取り外す際、しごき部でしごかれた係止ピンは、帆立貝の係止された部分で破断し、係止ピンのロープ抜け止め部を含む軸部の大部分がロープに残滓として留まってしまう。
このロープに残った係止ピンの残滓は、ロープを再使用する場合には除去する必要があり、残滓を除去するのに専用の除去装置を用意する必要がある等、多くの手間と費用がかかる、という不都合がある。
【０００７】
図１１は、上記した不都合を図解した説明図であり、同図（ａ）は、しごき手前の状態の図、同図（ｂ）は、しごき孔に臨んだ状態の図、同図（ｃ）は、しごき孔でしごかれた係止ピンが破断し、ロープに残留した状態を示す図である。
【０００８】
帆立貝の生育後、図示しない巻き上げ機（考案を実施するための最良の形態の説明における図５で示した）でロープ１００を巻き上げ、巻き上げる過程でしごき部材（しごき板）のしごき孔１０６を通し、ロープ１００を矢印Ａ方向に引っ張る（図１２（ａ）参照）。
【０００９】
ロープ１００の引張で係止ピン１０１の中間部は、しごき孔１０６の周辺部に臨み、係止ピン１０１の軸部１０１ａの中間部は、しごき孔１０６内周縁に規制されて弓形に撓曲変形する。ロープ抜け止め片１０３，１０３はハ字形なので、係止孔１０６内を通過する（図１２（ｂ）参照）。
【００１０】
ロープ１００の矢印Ａ方向への引張を継続すると、帆立貝１０４，１０４の耳片１０４ａ，１０４ａがしごき孔１０６周辺部に当接して踏ん張り、耳片１０４ａ，１０４ａは係止ピン１０１の抜け止め片１０２，１０２に係止され、抜け止め片１０２，１０２の基部が小径のため他の軸部に比して脆弱であり、この部分から破断し、矢印Ｂ方向に破断して帆立貝１０４，１０４は、係止ピンの抜け止め片１０２，１０２を含んでロープから外れ、回収される。
一方、ロープ１００は更に矢印Ａ方向への引張を継続され、順次帆立貝を外し、回収する。
これを図１２の（ｃ）で示した。
この結果、この図で示した通りロープ１００に係止ピン１０１のロープ抜け止め片１０３，１０３を含んで残滓として残留することとなり、上記した通り、ロープを再使用する場合には、係止ピンの残滓を除去する必要がある。ロープから係止ピンの残滓を除去するのに専用の除去装置を用意する必要がある等、多くの手間と費用がかかる。
【考案の開示】
【考案が解決しようとする課題】
【００１１】
本考案は、以上の課題を解決するためになされたもので、生育後の帆立貝を回収するに際し、帆立貝回収時に係止ピンが自動的にロープから除去され得るようにし、係止ピンのロープへの残留を可及的に防止し、係止ピンの残滓を除去するのに手間や費用の削減を可能とした係止ピンを提供することを課題とする。
【００１２】
請求項１に係る考案は、軸部の両端部に帆立貝を係止する帆立貝係止部を備え、中間部周に軸方向に離間し、軸方向内方に向かい合うように対称的に突出した２本の係止杆からなるロープ抜け止め部を突設した可撓性を有する合成樹脂で形成した養殖帆立貝の係止ピンにおいて、ロープ抜け止め部の一方の係止杆を太く形成し、他方の係止杆を細く形成したことを特徴とする。
【００１３】
請求項２に係る考案は、請求項１において、前記係止杆を、軸部周の同じ側に対称的に向かい合うようにハ字形に突設したことを特徴とする。
【００１４】
請求項３に係る考案は、請求項１において、前記係止杆を、一方の係止杆を軸部周の一側に突出し、他方の係止杆を軸部周の反対側に突出するように突設したことを特徴とする。
【００１５】
請求項４に係る考案は、請求項２において、前記係止ピンは多数本軸部を平行に配置し、軸部周に突設したロープ抜け止め部の先端を隣接する係止ピンの軸部周に容易に撓む薄片や小径部等で連結し、帯状としたことを特徴とする。
【００１６】
請求項５に係る考案は、請求項１〜請求項３何れかにおいて、前記係止ピンは多数本軸部を平行に配置し、軸部間を容易に撓む紐状部材や薄片等で連結し、帯状としたことを特徴とする。
【考案の効果】
【００１７】
請求項１に係る考案では、係止ピンのロープ抜け止め部を構成する係止杆の一方の係止杆を太く形成し、他方の係止杆を細く形成したので、帆立貝の回収時、ロープをしごき部材のしごき孔等のしごき部を通した際、細い係止杆がしごき部を通過する際に軸部とほぼ平行に倒伏し、一方、太い係止杆がしごき部で突っ張り、ロープが引かれることから係止杆の軸部がロープの抜脱され、抜脱された側の係止部を含む帆立貝がしごき部の周辺に当たり、係止部が破断してこの側の帆立貝が回収され、しごき部で突っ張った太い係止杆の抵抗で、帆立貝を回収した破断された係止部、細い係止杆を含む軸部が、ロープに残留することなく、ロープから抜脱される。
【００１８】
従って、帆立貝の回収に際し、帆立貝を係止した係止ピンを、しごき部材のしごき部を通してしごき、しごき部でしごかれた係止ピンが、帆立貝の係止された部分で破断し、係止ピンのロープ抜け止め部を含む軸部の大部分がロープに残滓として留まってしまう、という不都合を防止し、これによりロープを再使用に際して必要としたロープに残った係止ピンの残滓の除去作業を可及的に省略し、残滓を除去の手間を少なくし、除去に際しての費用の大幅な削減を図ることができる。
また、以上を係止ピンの軸部周に突設するロープの抜け止め部を構成する２本の係止杆の一方を太く形成し、他方を細く形成するだけで達成することができるので、格別の構造上に変更を伴うことなく、構造簡素に所期の効果を得ることができる。
【００１９】
請求項２に係る考案では、請求項１において、ロープ抜け止め部を構成する係止杆を、軸部周の同じ側に対称的に向かい合うようにハ字形に突設したので、請求項１の効果に加えるに、ロープをハ字形の係止杆に保持し、係止ピンのロープからの抜け止めを確実におこなうことができる。
【００２０】
請求項３に係る考案では、請求項１において、ロープ抜け止め部を構成する係止杆を、一方の係止杆を軸部周の一側に突出し、他方の係止杆を軸部周の反対側に突出するように突設したので、請求項１の効果に加えるに、相互に対称的に反対側に突設した係止杆により係止ピンのロープからの抜け止めを確実におこなうことができる。
【００２１】
請求項４に係る考案では、請求項２において、係止ピンは多数本軸部を平行に配置し、軸部周に突設したロープ抜け止め部の先端を隣接する係止ピンの軸部周に容易に撓む薄片や小径部等で連結し、帯状としたので、請求項１及び請求項２の効果に加えるに、係止杆をロール状に巻き回してストックすることができる。
【００２２】
請求項５に係る考案では、請求項１〜請求項３何れか１項において、係止ピンは多数本軸部を平行に配置し、軸部間を容易に撓む紐状部材や薄片等で連結し、帯状としたので、請求項１〜請求項３の何れかの効果に加えるに、係止杆をロール状に巻き回してストックすることができる。
【考案を実施するための最良の形態】
【００２３】
本考案を実施するための最良の形態を添付図に基づいて以下に説明する。なお、図面は符号の向きに見るものとする。
図１は、本考案に係る係止ピンの正面図である。
係止ピン１は可撓性のある合成樹脂で各部全一体に形成されており、軸部２の両端部には先端部２ａ，２ａが尖鋭であり、両端部で対称的な∠形の帆立貝係止部３，４が形成されている。
【００２４】
係止部３，４は軸部の両端部の基部を切り欠いて凹部３ｂ，４ｂとして起こし、片状の係止片３ａ，４ａを径方向外方に湾曲状に突出させて形成し、両端部に銛状の係止部３，４を形成する。
軸部２の軸方向中間部外周には、ハ字形に抜け止め部５を突設する。抜け止め部５は軸方向に離間し、対称的に向かい合って互いに軸方向内側に傾斜した２本の係止杆６，７からなる。
ロープ抜け止め部を構成する係止杆６，７間の間隔は、ロープの外径よりも少し大きく設定し、係止杆６，７の先端部６ａ，７ａ間でロープを挟む隙間とする。
【００２５】
以上において、ロープ抜け止め部を構成する２本の係止杆６，７の一方を太くし、他方を細くする。
太い係止杆６を第１係止杆とし、細い係止杆７を第２係止杆と記載する。
ロープに係止ピンを貫通させ、ロープを各係止杆６，７で挟持するようにその間の間隔を設定するが、ロープが引かれ、各係止杆６，７がしごき部材のしごき孔等を通過した際、太い第１係止杆６がしごき孔周辺部に先端部６ａが当接して突っ張り、細い第２係止杆７は、しごき孔等の周辺部に当接してロープと平行となるように容易に撓曲し、倒伏するように設定する。
【００２６】
係止ピンの寸法の一例を示すと、例えば、係止ピンの軸部の直径は１．５mm、長さは７mm、ロープ抜け止め部を構成する係止杆の内太い第１係止杆の突出長さは３〜４mm、直径は１mm、細い第２係止杆の突出長さは太い係止杆と同じで、その直径は０．６mm程度とした。
以上の係止杆６，７を説明では一方を太い係止杆、他方を細い係止杆と表現したが、要すれば一方の係止杆の剛性が高く、他方の係止杆の剛性が低く、一方に比較して他方が容易に撓めば良い。
【００２７】
図２は、係止ピンを帯状に形成した一例の正面図で、係止ピン１・・・は軸部２が平行に並べられ、ロープ抜け止め部を構成する係止杆６，７の先端部が、細片、薄片、小径部等の撓曲連結部６ｂ，７ｂを介して隣接する係止ピンの軸部に一体に連結されており、多数の係止ピンを帯状に形成する。
係止ピン１・・・は、軸部２相互を連結する連結部６ｂ，７ｂが容易に撓むので、ロール状に巻き回し、ストックすることができる。
【００２８】
図３は、図２の変更実施例である。
本実施例では、平行に配置した多数の係止ピン１・・・の軸部２の抜け止め部５の各係止杆６，７の外側の２カ所を、軸部２とは直交する方向に延びる小径部材や紐状部材、薄片部材等の連結部材８，８を介して一体に連結し、多数の係止ピンを帯状に連結したもので、係止ピン１・・・は、軸部２相互を連結する連結部８，８が容易に撓むので、ロール状に巻き回し、ストックすることができる。
【００２９】
図４は、本考案の他の実施例で、両端の係止部の構造以外は前記と同様なので、同一部分には同一符号を付し、説明は省略する。
軸部２の両端部に形成した係止部３，４の前記した係止片３ａ，４ａを主係止片とし、これよりも小さい副係止片３ｃ，４ｃを凹部３ｄ，４ｄを介して突設し、係止部で係止した帆立貝が反転した場合において、副係止片３ｃ，４ｃに耳片の係止孔が当たり、係止部３，４からの抜け出しを防止した。
【００３０】
図５は、帆立貝養殖における帆立貝の回収を示す説明図で、船上へのロープ巻き上げ、しごき部材を通して帆立貝をロープから取り外し、剥離する状態を示す説明図である。
ロープ５０には図１１で説明したと同様に帆立貝１０，１０が係止ピン１を介して両端部に係止され、保持されている。
ロープ５０を回収船５１上に設置した巻き取りドラム５２を矢印のように回転させ、巻き取りガイドローラ５３を介して巻き取り、海中から引き上げ、巻き取る。
この際、巻き取りドラム５２の上流にしごき部材（しごき板）５４を設置しておき、巻き取りドラム５２でロープを巻き取る際、しごき部材５４のしごき孔にロープ５０を通す。矢印Ａは、巻き取り機５２によるロープ５０の引張方向、巻き取り方向を示す。
【００３１】
図６の（ａ）〜（ｅ）は、しごき部材にロープを通し、帆立貝を回収する説明図で、（ａ）は、しごき部材直前の状態を示す図、（ｂ）は、しごき孔にかかった状態の図、（ｃ）は、しごき初期の状態の図、（ｄ）は、一方の帆立貝が離脱した状態の図、（ｅ）は、ロープから係止ピンを抜脱し、他方の帆立貝を回収する説明図である。
また図７の（ａ）〜（ｅ）は、図６のしごき孔を含む要部の拡大図で、（ａ）〜（ｅ）は図６の（ａ）〜（ｅ）の夫々に対応する説明図である。
これらの図面を参照しつつ帆立貝の回収及び係止ピンのロープからの抜脱（剥離）作用を説明する。
【００３２】
図６（ａ）に示すように、ロープ５０は、しごき部材５４（しごき板）のしごき孔５５を通って矢印Ａ方向に引っ張られ、前記した巻き取りドラム５２に巻き取られる。
ロープ５０に所定ピッチで係止、保持された帆立貝を係止した係止ピン１は、ロープ５０の直交方向に係止孔５０ａを通し、係止杆６，７間でロープ５０の係止孔５０ａ周辺部を挟み、ロープ５０に保持されている。係止ピン１の両端部の帆立貝係止部３，４に、帆立貝１０，１０を係止した状態で海中から引き上げられ、しごき部材５４のしごき孔５５に臨む。
【００３３】
ロープ５０の矢印Ａ方向への引っ張りで、係止ピン１は、しごき部材５４のしごき孔５５周辺部に臨み、先ず軸部２から突出しているロープ抜け止め部を構成する係止杆６，７の先端部がしごき孔５４の図の左側の周辺部に当接する。
この状態を図６の（ａ）で示し、しごき孔周辺部の要部詳細を図７の（ａ）で示した。
【００３４】
ロープ５０の矢印Ａ方向への更なる移動で係止ピン１は引っ張られ、係止杆６，７先端部のしごき孔５５周辺部への当接、これによる抵抗で軸部２の中央部がロープ５０の移動とともにしごき孔５５方向に撓曲変形し、係止杆は太い第１係止杆６に対し細い第２係止杆７が撓曲変形し易く、しごき孔５５内に撓んで進入し、ロープ５０のＡ方向への移動でしごき孔５５を通過する。
これを図６の（ｂ）及びその要部を図７の（ｂ）で示した。
【００３５】
尚、図７（ｂ）で詳細に示したように、第２係止杆７は、先端部が入り込み、しごき孔５５内で該係止杆７が内周と略々平行するように進入した状態を示しているが、係止杆７先端部がしごき孔周辺部に当接し、孔周辺部に接触しつつ軸部２と平行となる方向に曲がって撓み、軸部２と平行の状態となっても、しごき孔５５内に容易に進入し、通過することができる。
【００３６】
矢印Ａ方向へのロープ５０の更なる引っ張りで、係止ピン１の軸部２は、しごき孔５５の移動方向外方にＵ字形に湾曲して（弓なりとなって）臨む。この際、剛性の高い第１係止杆６は、しごき孔５の周辺部に当接したまま抵抗し、一方、これに比して剛性が低く、容易に撓む第２係止杆６は、しごき孔５５内を通過してしごき部材５４の内側に臨む。
一方、第２係止杆７に近い側の係止部３で係止されている帆立貝１０（１０−１）の耳片は、しごき孔５５の周辺部に当接している。
この状態を図６の（ｃ）及び図７の（ｃ）で示した。
【００３７】
矢印Ａ方向へのロープ５０を更に移動し、帆立貝１０−１の耳片は、しごき孔５５周辺部に当接しており、これの抵抗で係止部３に荷重がかかり、この部分には係止部３の抜け止め片３ａを形成用の切り欠き凹部３ｂを有するので、該凹部３ｂは軸部２に比較して脆弱であり、ロープ５０のＡ方向への移動で軸部２から破断し、軸部２から帆立貝１０−１は矢印Ｂ方向に外れて回収される。
この状態を図６の（ｄ）及び図７の（ｄ）で示した。
【００３８】
矢印Ａ方向へのロープ５０は更に移動するが、第１係止杆６は、しごき孔５５周辺部に当接したまま突っ張り、残余の係止ピン１は、しごき部材５４の孔周辺部外側に残留する。一方、ロープ５０は更に移動を継続し、細い径の第２係止杆７は、軸部２とともに撓曲し、第２係止杆７はロープ５０の係止孔５０ａを通過する。
この状態をも図６の（ｄ）及び図７の（ｄ）で示している。
【００３９】
矢印Ａ方向へのロープ５０の更なる移動で、帆立貝係止部３が破断し、第２係止杆７がロープ係止孔５０ａを通過した係止ピン１の軸部は、撓みつつロープ係止孔５０ａを通過し、ロープから抜脱される。
一方の係止部４に帆立貝１０−２を係止したまま、係止ピン１は残余の部分がロープから外れ、外側に残った帆立貝１０−２を係止した状態の係止ピン１をＢ方向に引っ張る等して帆立貝１０−２を回収する。
この状態を図６の（ｅ）及び図７の（ｅ）で示した。
【００４０】
以上で説明した通り、ロープを海中から引き上げ、巻き上げる際、しごき部材のしごき孔を通すことで、帆立貝をロープから外し、回収することが出来るとともに、係止ピン１をロープから自動的に抜脱することができることとなる。
【００４１】
図８は、本考案に係る係止ピンの変更実施例を示す図である。係止ピンの基本構造は、前記した実施例と同様なので、同一部分には同一符号を付し、詳細な説明は省略する。
本実施例では、ロープ抜け止め部を構成する係止杆の一方の太い第１係止杆６に対し、他方に細い第２係止杆１７を軸部の反対方向に突設したものである。
互いに向かい合って軸周において１８０°異なった方向に突出した係止杆６，１７間に前記したロープ５０は臨む。
【００４２】
図９の（ａ）〜（ｄ）は図８の作用説明図で、（ａ）はしごき部材直前の状態を示す図、（ｂ）はしごき孔にかかった状態の図、（ｃ）はしごき中期の状態の図、（ｄ）は一方の帆立貝が離脱し、第２係止杆がロープの係止孔から離脱する状態の図である。
【００４３】
しごき部材５４のしごき孔５５を通ってロープ５４は矢印Ａ方向に移動し、先ず太い径の第１係止杆６の先端部がしごき孔５５周辺部に当接する。この状態を図９の（ａ）で示した。
ロープ５０の引っ張りによるロープのＡ方向への更なる移動で、係止ピン軸部２の中央部は凹状に撓曲し、細い径の第２係止杆１７がロープに接して内側に撓む。この状態を図９の（ｂ）で示した。
【００４４】
ロープ５０のＡ方向への更なる引っ張りによる移動で、軸部２はＶ形に近い状態に屈曲し、第２係止杆１７は倒れてロープ５０の係止孔に臨みつつロープ５０と軸部２杆に挟まれて倒伏しつつしごき孔５５に臨む。この状態を図９の（ｃ）で示した。
この状態が継続すると、図６（ｃ）、図７（ｃ）と同じ状態となり、この側の帆立貝は耳片がしごき孔周辺部に当接して突っ張り、帆立貝係止部が凹部の部分で破断し、この側の帆立貝が外れて回収されることとなる。
ロープ５０は更にＡ方向に移動するが、第１係止杆６による抵抗で係止ピン１が残留し、倒伏した第２係止杆１７は、しごき孔５０ａ内を通過し、軸部２の帆立貝を回収して破断した側の部分は、しごき孔５０ａ内を通過してロープ５０から係止ピンの残滓は抜脱されることとなる。この状態は図６（ｅ）、図７（ｅ）と同様である。
【００４５】
このように、本実施例においても、前記と同様に両端部に帆立貝を係止し、ロープに係止、保持された係止ピン１がしごき部材のしごき孔を通過する際、剛性の高い第１係止杆６がしごき孔周辺部で突っ張り、軸部２の中間部が弓なりに撓曲し、撓み易い第２係止杆１７が軸部２重なってしごき孔を通過し、帆立貝係止部が凹部の部分で破断し、この側の帆立貝が外れて回収され、ロープの更なる移動で破断側の軸部がロープの係止孔から抜脱されることが理解できる。
【００４６】
図１０は、係止ピンにおける帆立貝係止部の変更実施例を示す。
図４では大きい係止片３ａの反対側にこれよりも小さい副係止片３ｃを設けたが、副係止片３ｃを前後に離間して２個設けて３ｃ−１，３ｃ−２とした。
これにより、帆立貝が係止部で反転した場合において二重に脱落を防止することができる。
【００４７】
尚、本考案に係る係止ピンは、実施の形態における両端部の銛状の係止部の具体的形状は任意である。
【産業上の利用可能性】
【００４８】
本考案に係る係止ピンは、帆立貝の養殖に好適である。
【図面の簡単な説明】
【００４９】
【図１】本考案に係る係止ピンの正面図である。
【図２】係止ピンを帯状に形成した一例の正面図である。
【図３】図２の変更実施例である。
【図４】本考案の他の実施例である。
【図５】帆立貝養殖における帆立貝の回収を示す説明図で、船上へのロープ巻き上げ、しごき部材を通して帆立貝をロープから取り外し、剥離する状態を示す説明図である。
【図６】（ａ）〜（ｅ）は、しごき部材にロープを通し、帆立貝を回収する説明図で、（ａ）はしごき部材直前の状態を示す図、（ｂ）はしごき孔にかかった状態の図、（ｃ）はしごき初期の状態の図、（ｄ）は一方の帆立貝が離脱した状態の図、（ｅ）はロープから係止ピンを抜脱し、他方の帆立貝を回収する説明図である。
【図７】（ａ）〜（ｅ）は、図６のしごき孔を含む要部の拡大図で、（ａ）〜（ｅ）は図６の（ａ）〜（ｅ）の夫々に対応する説明図である。
【図８】本考案に係る係止ピンの変更実施例を示す図である。
【図９】図８の作用説明図で、（ａ）はしごき部材直前の状態を示す図、（ｂ）はしごき孔にかかった状態の図、（ｃ）はしごき中期の状態の図、（ｄ）は一方の帆立貝が離脱し、第２係止杆がロープの係止孔から離脱する状態の図である。
【図１０】係止杆の帆立貝係止部の変更実施例の要部の図である。
【図１１】ロープに帆立貝を係止し、海中にロープを垂らし、養殖を行っている状態を示す説明図である。
【図１２】従来の係止ピンによる帆立貝取り外し時における不都合を図解した説明図であり、同図（ａ）は、しごき手前の状態の図、同図（ｂ）は、しごき孔に臨んだ状態の図、同図（ｃ）は、しごき孔でしごかれた係止ピンが破断し、ロープに残留した状態を示す図である。
【符号の説明】
【００５０】
１…係止ピン、  ２…軸部、  ３，４…帆立貝係止部、  ５…ロープ抜け止め部、  ６，７，１７…ロープ係止部、６ａ，７ａ…先端部、６ｂ，７ｂ…軸部相互を連結する連結部、  ８…紐状部材、薄片部材等の連結部材、  １０…帆立貝、  ５０…ロープ、  ５０ａ…係止ピンの係止孔、  ５４…しごき部材、  ５５…しごき孔。
【図１】
0003114449.tif 000003
【図２】
0003114449.tif 000004
【図３】
0003114449.tif 000005
【図４】
0003114449.tif 000006
【図５】
0003114449.tif 000007
【図６】
0003114449.tif 000008
【図７】
0003114449.tif 000009
【図８】
0003114449.tif 000010
【図９】
0003114449.tif 000011
【図１０】
0003114449.tif 000012
【図１１】
0003114449.tif 000013
【図１２】
0003114449.tif 000014